(57)【特許請求の範囲】
【請求項１】
前後に配置された一列の物品から先頭の物品（Ｗ）を、前端方向に移動させ、該前端において、前記物品（Ｗ）を取り出し得るように、複数の物品を移動可能な状態で前後に配置し得る物品保持具（１）であって、
変位可能に支持されて、前記前端方向への前記先頭の物品（Ｗ）の移動の結果変位され、該変位時に取り出し信号の生成を引き起こして、該物品保持具（１）からの前記物品（Ｗ）の取出しを報知する、信号生成手段（１２，１３）を備える物品保持具（１）において、
該物品保持具（１）には、前記前端方向への先頭の物品（Ｗ）の移動時に、一つずつ変位され、結果として少なくとも２つの取出し信号が生成されるように、変位可能に支持された２つの信号生成手段（１２，１３）と、生成された前記取出し信号を用いて物品（Ｗ）が動かされた方向を評価することが可能な、電子評価ユニットとが設けられていることを特徴とする、
物品保持具。
【請求項２】
請求項１に記載の物品保持具において、前記信号生成手段（１２，１３）が、該物品保持具（１）に回動可能に支持されていることを特徴とする、物品保持具。
【請求項３】
請求項２に記載の物品保持具において、前記信号生成手段（１２，１３）が、共通の回動軸（１４）、又は各々独自の回動軸（１４ａ，１４ｂ）を中心として回動可能であることを特徴とする、物品保持具。
【請求項４】
請求項１から３のいずれか一項に記載の物品保持具において、
前記信号生成手段（１２，１３）が、それぞれ、制御部（１２１，１３１）を備え、
該制御部（１２１，１３１）は、前記物品（Ｗ）が前記前端方向へ動かされる際には、必ず該制御部（１２１，１３１）を通過し、移動する前記物品（Ｗ）から該制御部（１２１，１３１）が作用を受けることによって、通過する前記物品（Ｗ）により、前記信号生成手段（１２，１３）が変位運動を強いられるように構成されていることを特徴とする、
物品保持具。
【請求項５】
請求項４に記載の物品保持具において、前記信号生成手段（１２，１３）の前記制御部（１２１，１３１）は、取り出される先頭の物品（Ｗ）が該物品保持具（１）の前記前端へと動かされる方向である、取出し方向（Ｒ）に沿って互いにオフセットしていることを特徴とする、物品保持具。
【請求項６】
請求項１から５のいずれか一項に記載の物品保持具において、
取り出される先頭の物品（Ｗ）が該物品保持具（１）の前記前端へと動かされる方向である取出し方向（Ｒ）を横切るように、前記信号生成手段（１２，１３）が隣り合わせて配置されていることを特徴とする、物品保持具。
【請求項７】
請求項１から６のいずれか一項に記載の物品保持具において、少なくとも２つのリード接点（２，３）が設けられており、これを用いて前記信号生成手段（１２，１３）の変位時に２つの取出し信号を生成し得ることを特徴とする、物品保持具。
【請求項８】
請求項７に記載の物品保持具において、前記信号生成手段（１２，１３）が、それぞれ、リード接点（２，３）と協働する磁石（１２２，１３２）又はリード接点を含むことを特徴とする、物品保持具。
【請求項９】
請求項１から８のいずれか一項に記載の物品保持具において、少なくとも１つの信号生成手段（１２，１３）が、該物品保持具（１）の前記前端の方向に動かされる先頭の物品（Ｗ）によって開放位置から抑止位置へと変位可能であり、前記抑止位置での前記信号生成手段（１２，１３）が、前記先頭の物品（Ｗ）の後ろに配置された物品の、前記前端の方向への新たな移動を防ぐことを特徴とする、物品保持具。
【請求項１０】
請求項９に記載の物品保持具において、前記信号生成手段（１２，１３）が、抑止部（１２０，１３０）を有し、該抑止部（１２０，１３０）は、前記抑止位置において物品（Ｗ）がこれを越えて該物品保持具（１）の前記前端に向かって動かされ得ないように突出することを特徴とする、物品保持具。
【請求項１１】
請求項９または１０に記載の物品保持具において、前記信号生成手段（１２，１３）は、該物品保持具（１）の前記前端に向かって動かされる物品（Ｗ）によって該物品（Ｗ）が該物品保持具（１）から取り出されるまで前記抑止位置に維持されるように形成及び配置されていることを特徴とする、物品保持具。
【請求項１２】
請求項９から１１のいずれか一項に記載の物品保持具において、それぞれ開放位置と抑止位置との間で変位されることが可能である、少なくとも２つの信号生成手段（１２，１３）が設けられていることを特徴とする、物品保持具。
【請求項１３】
請求項１から１２のいずれか一項に記載の物品保持具において、前記信号生成手段（１２，１３）が、該物品保持具（１）の前端に向かって移動された物品（Ｗ）の取出しと、該物品保持具（１）への物品の補充および／または物品（Ｗ）の押戻しとの両方を可能にすることを特徴とする、物品保持具。
【請求項１４】
請求項１から１３のいずれか一項に記載の物品保持具において、前記電子評価ユニットは、物品（Ｗ）が該物品保持具（１）の前記前端の方向に動かされ、これによって前記２つの信号生成手段（１２，１３）が変位された時に、前記取出し信号に応じて、聴覚的および／または視覚的に認知可能な物品取出し信号（ＷＳ）を出力するように設定されていることを特徴とする、物品保持具。
【発明の詳細な説明】
【技術分野】
【０００１】
本発明は、請求項１の前提部に記載される類の物品保持具に関する。
【背景技術】
【０００２】
例えばラックフックのような形の物品保持具（商品保持具）によれば、例えば小売業等で、商品を美しく陳列し、それらを顧客が簡単に取り出せる状態に保持するため、複数の物品を可動状態で、前後に配列させることができる。個々の物品は、物品保持具に移動可能に（例えば、物品保持具に引掛けて）配置されており、前後に配置された一列の物品から、先頭の物品を該物品保持具の前端に向けて移動させることができ、この前端で、物品保持具より取り出すことができる。
【０００３】
盗難防止及び在庫監視のため、このような物品保持具に、該物品保持具からの物品の取り外しを検知し得る電子部品を設けることは既に知られている。例えば、着脱可能に取り付けられる信号生成手段を、物品保持具に設けてもよい。これは、先頭（最も前）の物品が前端方向に変位される時に変位可能であり、変位時に取り外し信号の生成を引き起こし、この信号により、物品が取り外されたことが、物品保持具により表示される。このような信号生成手段は、例えば回動可能に取り付けられた揺動アームの形で実現できる。このような揺動アームによれば、物品保持具から複数の物品ではなく単一の物品しか同時には取り出せない状態とすることもできる。このような解決手段は、例えば特許文献１から知られている。
【０００４】
このような物品保持具では、生成された取出し信号を使用して、例えば、非典型的な取出しパターン、したがって、盗難の疑われる行動について、容易に判断することができる。他方、取出し信号に基づくのみでは、現在の量、すなわち、物品保持具上で待機状態にある物品についての情報は得られないので、在庫（数量）の監視に関しては、通常、役に立たない。例えば、顧客により前に取り出された物品が、物品保持具に戻し置かれたり、店員により物品が補充再配置された場合にも、取り外し信号が生成される。また、このような物品保持具が物品の取出し毎に、揺動アームを用いて音響的に認識するよう設定されている場合、顧客による物品の返却や販売員による物品保持具への新たな物品の補充も音響フィードバックを生じさせる。これも同じく不利であると思われる。
【０００５】
特許文献２から知られる物品保持具では、この問題を解決するために、物品保持具に配置された物品を該物品保持具の前端の方向に押しやる物品給送機の変位運動を監視することが提案されている。ここでは、上記給送機の変位時に、回路基板に設けられた接点により、物品給送機が前端方向に変位されたのか、その逆変位方向に変位されたのかに応じて、個別に判別し得る変位信号のシーケンスが生成される。この解決手段は極めて効果的で簡便であるが、給送手段（feed unit）の使用を常に前提とするので、サイズ及びコストの観点からみて全ての用途に適しているとは言えない。
【先行技術文献】
【特許文献】
【０００６】
【特許文献１】国際公開第２００６／０６１００９号
【特許文献２】国際公開第２０１０／０９４７７８号
【発明の概要】
【発明が解決しようとする課題】
【０００７】
従って、本発明は上記の難点を克服することを目的として、この観点から見て改良された、給送手段使用の要がない、物品保持具を提供することを目的とする。
【課題を解決するための手段】
【０００８】
上記目的は、請求項１に記載の物品保持具により達成される。
【０００９】
ここで、本発明にかかる物品保持具は、変位可能に取り付けられた２つの信号生成手段を備え、該手段は先頭の物品が前端へ移動する際に、一つずつ（順番に、交代で）変位され、結果として二つの移動信号が、（好ましくは続けて）生成されるものである。
【００１０】
取出しに必要とされる物品保持具の前端の方向へ、先頭の物品が移動する際に、一つずつ変位される、２つの信号生成手段により異なる取出し信号が生成される結果、特に物品の取出しを、物品の返却及び、前記物品保持具への補充と区別することが可能である。例えば、物品の取出し時には、まず第１の信号生成手段が変位され、次いで第２の信号生成手段が変位される。これに対し、物品の返却時には、まず第２の信号生成手段が変位され、次いで第１の信号生成手段が変位される。
【００１１】
例示的な一実施形態において、前記信号生成手段は物品保持具に、例えば共通する回動軸又は２つの別個の回動軸回りに、回動可能に取り付けられていてもよい。ここで、回動軸は、例えば物品保持具の円筒状の取付部材により規定することができ、これに、前記信号生成手段が回動可能に取り付けられる。このような取付部材は、例えば、前記物品保持具に円筒ピンの形で設けられる。
【００１２】
例示的な一実施形態において、前記信号生成手段は、それぞれ、制御部を備え、物品は前端の方向に動かされる際に該制御部を通って導かれる必要があり、動かされる物品が制御部において作用し、導かれる物品によって、信号生成手段が変位運動を強制される。例えば、ラックフックの一変形例では、該ラックフックに保持されて移動可能に配置された物品は、取り外しのためには、信号生成手段の凸状に湾曲した制御部を通り越して動かされねばならず、前端の方向に引かれる物品が、その湾曲した制御部に作用し、その結果、前記信号生成手段を移動および／または回動させるように構成されていてもよい。これに対応する、信号生成手段の変位が電子的に検出され、各場合に、取出し信号を生成（トリガー）する。
【００１３】
一改良形態において、前記信号生成手段を備えた物品保持具は、取り出される物品が前端方向に動かされる時、該物品が各制御部上の、該物品を物品保持具に保持する（好ましくは懸架する）領域に作用するよう構成されていてもよい。
【００１４】
例示的な一実施形態において、前記信号生成手段の制御部は、取り出される先頭の物品が物品保持具の前端へ動かされる取り出し方向に沿って、互いにオフセットしている（位置がずれている）。こうして、前記制御部は、取り出し方向に沿って前後に配置され、取り出される物品は、前方に動く際に、時間差を持って、制御部に作用する。
【００１５】
上記の構成に代えて、または加えて、前記信号生成手段は、取出し方向を横切るよう、隣り合わせて配置されたものであってもよい。これによって、信号生成手段を、省スペースで物品保持具に設けることができる。一変形例において、前記信号生成手段は、隣り合わせて配置されるが、その制御部は取出し方向において前後に配置されるように形成されている。例えば、この目的のために、寸法の異なる２つの揺動アームが信号生成手段として設けられてもよく、あるいは、２つの同一寸法に形成された揺動アームが隣り合わせて設けられ、但し、取り出し方向においては互いにいくらかずれて配置されていてもよい。
【００１６】
信号生成手段の変位時に取出し信号を生成するため、前記物品保持具は、少なくとも２つのリード接点を備え、これによって、該信号生成手段の変位時に、２つの取出し信号が生成され得る。例えば、前記信号生成手段は、それぞれ、リード接点又はリード接点と相互作用する磁石を有してもよい。
【００１７】
一変形例において、前記物品保持具は、さらに、該物品保持具から一つずつしか物品を取り出せないことを確実にする分離機構を備えている。前記分離機構の機能として主に重要なのは、物品保持具の前端へ複数の物品が同時に移動することがこれによって妨げられることである。しかし、前記分離機構により、さらに、先頭の物品が物品保持具から未だ取り出されていない間は、次の物品も前記物品保持具の前記前端まで移動されないようにすることが可能である。物品は前記物品保持具から一つずつしか続いて取り出せないことから、数個の物品を同時に前端に向かって移動させて物品保持具から取り出すことはできないので、多くの数量の物品が盗難されるリスクを大幅に抑えることができる。
【００１８】
例示的な一実施形態では、少なくとも１つの信号生成手段は、このような分離機構の一部でもある。そこで、物品保持具の前端方向に動かされる先頭の物品により前記信号生成手段は開放位置から抑止位置へと変位可能であり、該抑止位置における信号生成手段が、先頭の物品の後ろに配置された物品の、前端の方向への新たな移動を防止する。その抑止位置において、結果として信号生成手段は、物品保持具の前端の方向への物品の新たな移動を妨げ、よって複数の物品が同時に移動することを妨げる。一変形例において、前記信号生成手段は、この目的のために、抑止部を備え、該抑止部は、これを越えて物品保持具の前端に向けて物品が動かされないよう、前記抑止位置において突出する。ここで、前記信号生成手段はその抑止位置において、（例えば前記取り出し方向と直角に）物品の変位経路に突出し、物品が該信号生成手段を越えて前端方向に移動され得ないようにする。例えば、物品が、通常、物品包装に設けられた開口により物品保持具に移動可能に懸架されているとして、前記抑止位置で、抑止部を備える信号生成手段が、該抑止部の突出部分が物品包装の開口の高さを超える位置まで、取出し方向と直角に突出すると、物品包装の破壊なしには前記抑止部を越えた移動は不可能となる。
【００１９】
上記の構成に基づく一変形例では、凸状に湾曲した制御部により、信号生成手段がその開放位置においては物品保持具の下側で突出するのに対し、抑止位置においては、信号生成手段の抑止部が前記物品保持具の上側で突出する。物品が前記制御部に沿って物品保持具の前端に向かって動かされると、該物品が、前記信号生成手段を物品保持具の上側の方向に押しやる。前記信号生成手段が動可能又は回動可能に取付けられていることにより、前記抑止部は、前記物品保持具の上側から（より強く）外へ押しやられ、先頭の物品が信号生成手段の制御部に作用して物品保持具から未だ取り出されていない間は、抑止部が、他のいかなる物も、前端の方向に動かされるのを防止する。
【００２０】
例示的な一実施形態では、それぞれが開放位置と抑止位置との間で変位可能な信号生成手段が、少なくとも２つ設けられている。従って、少なくとも２つの信号生成手段が、分離機構の一部となる。それぞれ抑止位置へと変位可能な信号生成手段が少なくとも２つ設けられていることから、結果として、物品保持具からの複数の物品の同時取り出しを防ぐ少なくとも２つの機械的障害が存在することになる。
【００２１】
原則として、前記信号生成手段は、物品の移動及び取出しと、物品保持具への追加の物品の補充および／または返却の意味での物品の押戻しとの両方を可能にするものであることが好ましい。従って、例えば、物品保持具への補充および／または物品の返却時に、該信号生成手段を越えて物品保持具の後端の方向に、物品を動かし得るように、分離機構の一部をなす信号生成手段も形成され、物品保持具に変位可能に取り付けられている。
【００２２】
さらに、生成された取出し信号を用いて物品が移動された方向を評価し得る電子評価ユニットが設けられていることが好ましい。このような電子評価ユニットは、前記物品保持具に組み込まれていることが好ましい。結果として、前記評価ユニットと、該評価ユニットに接続され、（例えばラウドスピーカおよび／または照明および／またはディスプレイにより）聴覚的および／または視覚的に認知可能な物品取出し信号を出力する出力装置とを備える物品保持具は、さらなる配線なしに機能できる自立的な構造ユニットを形成することができ、これにより（ラック）壁に簡単に取り付けることができる。勿論、上記の構成に代えて、あるいは加えて、電子評価ユニットは、物品保持具の物品が移動可能に保持される保持部と別体に配置されてもよい。例えば、取出し信号を前記評価ユニットに送信するために、該評価ユニットへの接続ケーブル用のインターフェースを保持部に設けてもよく、あるいは、このような接続ケーブルを組み込んでもよい。
【００２３】
ここで、前記評価ユニットは、受信した取出し信号を用いて物品保持具からの物品の取り出しを検出すると、聴覚的および／または視覚的に認知可能な物品取出し信号を生成するように設定されていることが好ましい。他方、前記評価ユニットから受信した前記取出し信号に基づいて物品が後端の方向に前記２つの信号生成手段を通り越して変位されたと判断されると、物品取出し信号は生成されない。このようにして、物品が取り出された場合にのみ、前記物品保持具からの物品の取出しを音響的におよび／または視覚的に示す取出し信号が実際に生成される。
【００２４】
結果として、この変形例では、前記信号生成手段からの取出し信号は、評価ユニットにより評価可能なものであるが、該取出し信号は視覚的および／または聴覚的には知覚し得ない。最終的に、異なるおよび／または聴覚的に認知可能な物品取出し信号がこの目的のために生成されるか否かは、結局、生成された前記取出し信号の系列と、前記評価ユニットの評価に依存する。該評価ユニットは、物品が実際に前端の方向に移動されて物品保持具から取り出された時にのみ、このような物品取出し信号を生成する前記評価ユニットの評価に依存する。
【図面の簡単な説明】
【００２５】
【図１Ａ】信号生成手段として２つの回動可能に取り付けられた揺動アームを備える、本発明にかかる物品保持具の例示的な一実施形態を、一方向から見た図である。
【図１Ｂ】図１Ａの物品保持具を、別の方向から見た図である。
【図１Ｃ】図１Ａの物品保持具を、さらに別の方向から見た図である。
【図１Ｄ】図１Ａの物品保持具を、さらに別の方向から見た図である。
【図２Ａ】図１Ａ〜図１Ｄの物品保持具からの先頭の物品の取出しの一段階、およびこれによって生じる２つの揺動アームの変位運動を示した図である。
【図２Ｂ】図１Ａ〜図１Ｄの物品保持具からの先頭の物品の取出しの別の段階、およびこれによって生じる２つの揺動アームの変位運動を示した図である。
【図２Ｃ】図１Ａ〜図１Ｄの物品保持具からの先頭の物品の取出しの別の段階、およびこれによって生じる２つの揺動アームの変位運動を示した図である。
【図２Ｄ】図１Ａ〜図１Ｄの物品保持具からの先頭の物品の取出しの別の段階、およびこれによって生じる２つの揺動アームの変位運動を示した図である。
【図２Ｅ】図１Ａ〜図１Ｄの物品保持具からの先頭の物品の取出しの別の段階、およびこれによって生じる２つの揺動アームの変位運動を示した図である。
【図３Ａ】本発明にかかる物品保持具の、別の例示的実施形態について、先頭の物品の取出し時の一段階を、結果として生じる信号生成手段としての２つの回動可能に取り付けられた揺動アームの変位運動と共に示した図である。
【図３Ｂ】図３Ａの物品保持具における物品取出し時の別の段階を示す図である。
【図３Ｃ】図３Ａの物品保持具における物品取出し時の別の段階を示す図である。
【発明を実施するための形態】
【００２６】
本発明のさらなる利点および特徴は、添付の図面を用いて以下で説明する例示的な実施形態から集めることができる。
ラックフックの形をとる物品保持具１について異なる方向から見た図を図１Ａ〜図１Ｄに示す。物品保持具１は、細長い（ここでは棒状の）保持部１０を備え、該保持部１０に、物品が移動可能に前後に配置される。ここで、個々の物品は、物品保持具１の前端から該物品保持具１へと押し込まれる。この目的のため、個々の物品は、その物品包装に、保持部１０を挿通し得るように適切に寸法設計された開口Ｏを保持している。
【００２７】
物品保持具１は、意図したように、その後端部で、保持部１０の固定ポイント１１により（ラック）壁に固定される。その反対側の物品保持具１の前端部で、物品を取り外すことができ、その際、物品は取り出し方向Ｒに沿って前方へ動かされる。物品保持具１からの物品Ｗの取出しを電子的に検出し、物品Ｗが前端部で実際に取り出された時にのみ取出し音を生成するように、物品保持具１には、その前端領域に、２つの揺動アーム１２，１３の形をとる２つの信号生成手段が設けられている。これら２つの揺動アーム１２，１３はいずれも、共通の回動軸１４周りに回動自在な状態で、保持部１０に取り付けられている。さらに、２つの揺動アーム１２，１３は、物品Ｗを物品保持具１の前端で取り出せるように、該物品Ｗが保持部１０に沿って該揺動アーム１２，１３を通り越して取出し方向Ｒに導かれる時、両方の該揺動アーム１２，１３が一つずつ回動方向に回動されるように形成され、配置されている。
【００２８】
回動軸１４を規定する、例えば円筒ピンの形態の、取付部材を中心として回動自在に取り付けられている２つの揺動アーム１２，１３は、それぞれ、図１Ａ〜図１Ｄに示される開放位置において、膨らみをもって凸状に湾曲した制御部１２１，１３１により、物品保持具１の下側で突出している。ここで、２つの制御部１２１，１３１の突出度合は、取り出される先頭の物品Ｗが取出し方向Ｒへ動かされる際に該制御部１２１，１３１に一つずつ作用し、それによって、両方の揺動アーム１２，１３をその回動軸１４の回りに、同じ回動方向に一つずつ回動させるように選択されている。よって、２つの揺動アーム１２，１３は異なる長さを有し、結果として２つの制御部１２１，１３１は、取出し方向Ｒにおいて互いにオフセットしている（取出し方向Ｒの位置がずれている）。そのため、第１の揺動アーム１２は、第２の揺動アーム１３よりも約２５％長い。このようにして、物品保持具１の前端方向に動かされた物品Ｗは、まず、第１の揺動アーム１２の制御部１２１と接触し、これを回動軸１４を中心として、前記前端方向へ反時計回りに回動させる。物品Ｗが前記前端の方向にさらに動かされると、該物品Ｗはより短い第２の揺動アーム１３の制御部１３１と接触し、同様に、該制御部１３１上に沿って摺動する結果、図２Ａ〜図２Ｅに示すようにその揺動アームを回動軸１４を中心として反時計回りに回動させる。
【００２９】
２つの揺動アーム１２，１３は、変位時に取出し信号を生成するため、それぞれリード接点２，３と協働する。この目的のため、リード接点又はリードセンサ２，３が、それぞれ保持部１０に設けられている。個々のリード接点２，３は、対応する揺動アーム１２，１３が前方に動かされる物品Ｗにより図１Ａ〜図１Ｄに示すように開放位置外に回動される時にスイッチされる。リード接点２，３からの、揺動アーム１２，１３の回動を示す信号は、取出し信号として電子評価ユニットＡＥに送信される。好ましくは、評価ユニットＡＥは、物品保持具１に組み込まれ、保持部１０内又は保持部１０上に収納されており、この構成によって、評価ユニットＡＥを備える物品保持具１は、自立的な構造ユニットを形成し、これはさらなる配線なしで機能でき、（ラック）壁に簡単に取り付けることができる。
【００３０】
生成された取出し信号のシーケンスを用いて、評価ユニットＡＥは、物品Ｗが物品保持具１の前端方向に実際に移動されており、物品が例えば、物品保持具１を補充する際において後端の方向に移動されたわけではないかどうかを判定することができる。物品Ｗの取出し時には、まず第１の揺動アーム１２が回動されてから第２の揺動アーム１３が回動されるのに対し、物品Ｗを後端方向へ挿入する時には、２つの揺動アーム１２，１３が逆の順番で回動される。揺動アーム１２，１３の変位によりリード接点２，３によって生成された前記取出し信号を用い、物品Ｗが物品保持具１の前端の方向へ２つの揺動アーム１２，１３を通り越して動かされたことを評価ユニットＡＥが検出すると、該評価ユニットＡＥは物品取出し信号ＷＳを生成する。物品Ｗの取出しは、この物品取出し信号ＷＳにより音響的に認識される。これに代えて、あるいは、これに加えて、物品取出し信号ＷＳは視覚的に認知可能なものであってもよい。聴覚的および／または視覚的に認知可能な物品取出し信号ＷＳを出力するように評価ユニットＡＥに接続される出力装置、例えば、ラウドスピーカおよび／または照明および／またはディスプレイを有する出力装置が、同様に、物品保持具１に組み込まれていることが好ましい。
【００３１】
本例において、２つの揺動アーム１２，１３は、物品保持具１の、分離機構の一部であり、該分離機構によって、複数の物品Ｗが該物品保持具１から同時に取り出されることを防ぐことができる。この分離機構により、意図されたように、確実に単一の物品Ｗのみを物品保持具１の前端に到達させ、取り出すことができる。２つの揺動アーム１２，１３は、この目的のために抑止部１２０，１３０を有する。個々の物品Ｗは、２つの揺動アーム１２，１３がその開放位置にある時には、該抑止部１２０，１３０を越えて取出し方向Ｒに変位され得る。抑止部１２０，１３０も同様に、取出し方向Ｒに沿って前後に配置されており、前記保持部の上側で突出する。しかし、上述のように、物品Ｗが揺動アーム１２，１３の制御部１２１，１３１上に沿って摺動する結果、該揺動アーム１２，１３は回動される。ただし、この回動により、個々に対応する抑止部１２０，１３０が保持部１０の上側で突出し、別の物品が該抑止部１２０，１３０を越えて移動することはできなくなる。先頭の物品Ｗが計画通り物品保持具１の前端で取り出された後でのみ、揺動アーム１２，１３はその開放位置へと再度回動して戻ることができ、変位経路が再び開放される。
【００３２】
２つの揺動アーム１２，１３の制御部１２１，１３１は、動かされる物品Ｗが抑止部１２０，１３０を上方へとより強く押しやるように、保持部１０の下側で突出している。保持部１０が、本例のように好ましくは扁平な上面を備えている場合、保持部１０は、揺動アーム２，３の抑止部１２０，１３０と、対応する制御部１２１，１３１とが保持部１の相異なる側で突出し得るように、２つの揺動アーム１２，１３用の通過開口１００を有する。
【００３３】
２つの揺動アーム１２、１３が抑止位置、すなわち前端に動かされた物品Ｗが物品保持具１から取り出されるまで、該物品保持具１の前端方向への別の物品の新たな移動が妨げられる位置に、止まるように、該２つの揺動アーム１２，１３の回動軸１４は、物体保持具１の前端近傍に配置されている。さらに、揺動アーム１２，１３の曲率は、物体保持具１の前端領域でも、したがって、回動軸１４の領域でも該２つの揺動アーム１２，１３の制御部１２１，１３１に物品Ｗが作用するように適切に選択されている。このようにして、物品Ｗが物品保持具１から取り出されるまで、揺動アーム１２，１３は、その開放位置を再び取ることができない。
【００３４】
２つの揺動アーム１２，１３は物品Ｗの返却およびこれにともなう物品保持具１における取出し方向Ｒと逆への物品の移動も可能とし、これによってリード接点２，３により取出し信号が生成されるものの、電子評価ユニットＡＥが、このような場合には、物品取出し信号ＷＳが生成されないことを確実にする。このユニットは、生成された一連の取出し信号を評価して、顧客及び店員に認知可能な物品取出し信号ＷＳを、物品Ｗが揺動アーム１２，１３を越えて物品保持具１の前端の方向に移動された場合にのみ生成する。これにより、物品保持具１は、実際の物品取出しのみを聴覚的および／または視覚的に認知可能な物品取出し信号により報知し、物品Ｗの返却又は物品保持具への物品の補充の度に報知することはない。
【００３５】
図１Ａ〜図１Ｄ及び図２Ａ〜図２Ｅと異なる一変形例では、取出し方向Ｒにおいて互いにオフセットされた２つの揺動アームを、互に平行な異なる回動軸で取り付ける。この場合、結果として、各揺動アームは個々の回動軸回りに回動可能となる。この構成によれば、物品保持具１の２つの揺動アームを、同じ形状の部品として形成することができる。ここで、回動軸が物理的に近接していれば、物品保持具１の前端部に位置した物品Ｗは、該物品Ｗが物品保持具１から取り出されるまで両方の揺動アームを前記抑止位置に維持することができる。但し、これは必須ではない。２つの前記揺動アームに対して２つの回動軸を有する一変形例では、物品保持具１の前端部に位置した物品Ｗにより、取出し方向Ｒで前方にある一方の揺動アームのみを、その抑止位置に維持してもよい。
【００３６】
図３Ａ、図３Ｂ及び図３Ｃに、ラックフックの形をとる物品保持具１の別の変形例を異なる方向から見た図を示す。この例では、物品保持具１が、細長い（ここでは、棒状の）保持部１０に加え、これと平行に延びる収蔵部１５を備える。ここでは、保持部１０の上に配置された長手方向に延びる収蔵部１５は、信号生成手段を担持し、該信号生成手段は、個々の回動軸１４ａ、１４ｂ回りに回動可能な２つの揺動アーム１２，１３の形をとる。この変形例では、揺動アーム１２，１３はまた、物品Ｗが該揺動アーム１２，１３を通り越して保持部１０に沿って取出し方向Ｒに導かれる時、両方の該揺動アーム１２，１３が一つずつ（順番に）回動方向に回動されるように形成及び配置されている。
【００３７】
ここでは、２つの揺動アーム１２，１３の制御部１２１，１３１が、収蔵部１５から保持部１０の方向に突出する。このようにして、保持部１０の領域において先頭の取出し位置の方向に動かされる物品Ｗが、必然的に制御部１２１，１３１と連続して接触し、揺動アーム１２，１３をその回動軸１４ａ，１４ｂを中心として上方へと回動させる。
【００３８】
揺動アーム１２，１３の自由端部には、前記取出し信号を生成するようにそれぞれ磁石部材１２２，１３２が設けられている。この磁石部材１２２，１３２は、収蔵部１５に固定されたリード接点２，３と協働する。これにより、揺動アーム１２，１３が該揺動アーム１２，１３を通り越して導かれる物品Ｗにより回動されて結果としてそれぞれの磁石部材１２２，１３２が対応するリード接点２，３から離されると、これにともなって、電子的にさらに評価可能な取出し信号、および／または、視覚的におよび／または聴覚的に認知可能な取出し信号が生成される。磁石部材１２２，１３２は、この目的のために例えば永久磁石として形成されている。
【００３９】
物品Ｗを保持するように設けられた保持部１０の上に配置された収蔵部１５は、当然、保持部１０の断面形状と異なる断面形状を有するものであってもよい。また、収蔵部１５は、例えば、その前端でラベルを保持するように装備されてもよい。また、収蔵部１５は、評価ユニットＡＥを配置し収納するように設計されてもよい。この目的のため、収蔵部１５は、例えば適当であれば部分（サブ）領域のみで、リード接点２，３のみでなく電子評価ユニットＡＥ又は少なくともその部品を保護・収納するハウジングのような形状に構成された部分を構成する。このような適宜ハウジング状に構成された収蔵部１５の構造は、例えば、該収蔵部１５内に、前述の部品を収納・固定し得る空洞を画定する。このような空洞は、カバーで閉じられてもよい。このカバーは、修理や保守のために（例えば、評価ユニット（ＡＥ）の自立動作のために設けたバッテリ交換のために）着脱可能なものである。
【００４０】
同様に、図１Ａ〜図１Ｄ及び図２Ａ〜図２Ｅの変形例では、設けられた保持部１０が、少なくとも評価ユニットＡＥの部品の配置及び収納用に形成されていてもよい。この目的のため、保持部１０は、例えば場合によっては部分領域のみで、リード接点２，３、および／または、電子評価ユニットＡＥ又は少なくともその部品が保護・収納されるハウジングのような形状に構成された部分を形成する。ここでも、保持部１０のこのような適切なハウジング状に構成された構造は、例えば、該保持部１０内に空洞を画定し、その空洞内に前述の構成部品を収納し固定することができる。このような空洞は、保持部１０の取出し方向Ｒで見て後端部に設けてもよく、同様に、例えば修理又は保守の目的で着脱可能なカバーにより閉じられてもよい。      
なお、本発明は、実施の態様として以下の内容を含む。
〔態様１〕
前後に配置された一列の物品から先頭の物品（Ｗ）を、前端方向に移動させ、該前端において、前記物品（Ｗ）を取り出し得るように、複数の物品を移動可能な状態で前後に配置し得る物品保持具（１）であって、
変位可能に支持されて、前記前端方向への前記先頭の物品（Ｗ）の移動の結果変位され、該変位時に取り出し信号の生成を引き起こして、該物品保持具（１）からの前記物品（Ｗ）の取出しを報知する、信号生成手段（１２，１３）を備える物品保持具（１）において、
該物品保持具（１）には、前記前端方向への先頭の物品（Ｗ）の移動時に、一つずつ変位され、結果として少なくとも２つの取出し信号が生成されるように、変位可能に支持された２つの信号生成手段（１２，１３）が設けられていることを特徴とする、
物品保持具。
〔態様２〕
態様１に記載の物品保持具において、前記信号生成手段（１２，１３）が、該物品保持具（１）に回動可能に支持されていることを特徴とする、物品保持具。
〔態様３〕
態様２に記載の物品保持具において、前記信号生成手段（１２，１３）が、共通の回動軸（１４）、又は各々独自の回動軸（１４ａ，１４ｂ）を中心として回動可能であることを特徴とする、物品保持具。
〔態様４〕
態様１から３のいずれか一態様に記載の物品保持具において、
前記信号生成手段（１２，１３）が、それぞれ、制御部（１２１，１３１）を備え、
該制御部（１２１，１３１）は、前記物品（Ｗ）が前記前端方向へ動かされる際には、必ず該制御部（１２１，１３１）を通過し、移動する前記物品（Ｗ）から該制御部（１２１，１３１）が作用を受けることによって、通過する前記物品（Ｗ）により、前記信号生成手段（１２，１３）が変位運動を強いられるように構成されていることを特徴とする、
物品保持具。
〔態様５〕
態様４に記載の物品保持具において、前記信号生成手段（１２，１３）の前記制御部（１２１，１３１）は、取り出される先頭の物品（Ｗ）が該物品保持具（１）の前記前端へと動かされる方向である、取出し方向（Ｒ）に沿って互いにオフセットしていることを特徴とする、物品保持具。
〔態様６〕
態様１から５のいずれか一態様に記載の物品保持具において、
取り出される先頭の物品（Ｗ）が該物品保持具（１）の前記前端へと動かされる方向である取出し方向（Ｒ）を横切るように、前記信号生成手段（１２，１３）が隣り合わせて配置されていることを特徴とする、物品保持具。
〔態様７〕
態様１から６のいずれか一態様に記載の物品保持具において、少なくとも２つのリード接点（２，３）が設けられており、これを用いて前記信号生成手段（１２，１３）の変位時に２つの取出し信号を生成し得ることを特徴とする、物品保持具。
〔態様８〕
態様７に記載の物品保持具において、前記信号生成手段（１２，１３）が、それぞれ、リード接点（２，３）と協働する磁石（１２２，１３２）又はリード接点を含むことを特徴とする、物品保持具。
〔態様９〕
態様１から８のいずれか一態様に記載の物品保持具において、少なくとも１つの信号生成手段（１２，１３）が、該物品保持具（１）の前記前端の方向に動かされる先頭の物品（Ｗ）によって開放位置から抑止位置へと変位可能であり、前記抑止位置での前記信号生成手段（１２，１３）が、前記先頭の物品（Ｗ）の後ろに配置された物品の、前記前端の方向への新たな移動を防ぐことを特徴とする、物品保持具。
〔態様１０〕
態様９に記載の物品保持具において、前記信号生成手段（１２，１３）が、抑止部（１２０，１３０）を有し、該抑止部（１２０，１３０）は、前記抑止位置において物品（Ｗ）がこれを越えて該物品保持具（１）の前記前端に向かって動かされ得ないように突出することを特徴とする、物品保持具。
〔態様１１〕
態様９または１０に記載の物品保持具において、前記信号生成手段（１２，１３）は、該物品保持具（１）の前記前端に向かって動かされる物品（Ｗ）によって該物品（Ｗ）が該物品保持具（１）から取り出されるまで前記抑止位置に維持されるように形成及び配置されていることを特徴とする、物品保持具。
〔態様１２〕
態様９から１１のいずれか一態様に記載の物品保持具において、それぞれ開放位置と抑止位置との間で変位されることが可能である、少なくとも２つの信号生成手段（１２，１３）が設けられていることを特徴とする、物品保持具。
〔態様１３〕
態様１から１２のいずれか一態様に記載の物品保持具において、前記信号生成手段（１２，１３）が、該物品保持具（１）の前端に向かって移動された物品（Ｗ）の取出しと、該物品保持具（１）への物品の補充および／または物品（Ｗ）の押戻しとの両方を可能にすることを特徴とする、物品保持具。
〔態様１４〕
態様１から１３のいずれか一態様に記載の物品保持具において、生成された前記取出し信号を用いて物品（Ｗ）が動かされた方向を評価することが可能な、電子評価ユニットが設けられていることを特徴とする、物品保持具。
〔態様１５〕
態様１４に記載の物品保持具において、前記電子評価ユニットは、物品（Ｗ）が該物品保持具（１）の前記前端の方向に動かされ、これによって前記２つの信号生成手段（１２，１３）が変位された時に、前記取出し信号に応じて、聴覚的および／または視覚的に認知可能な物品取出し信号（ＷＳ）を出力するように設定されていることを特徴とする、物品保持具。
【符号の説明】
【００４１】
１                      物品保持具
１０                    保持部
１００                  通過開口
１１                    固定ポイント
１２                    第１の揺動アーム（第１の信号生成手段）
１２０                  抑止部
１２１                  制御部
１２２                  磁石部材
１３                    第２の揺動アーム（第２の信号生成手段）
１３０                  抑止部
１３１                  制御部
１３２                  磁石部材
１４，１４ａ，１４ｂ    回動軸
１５                    収蔵部
２，３                  リード接点
ＡＥ                    評価ユニット
Ｏ                      開口
Ｒ                      取出し方向
Ｗ                      物品
ＷＳ                    物品取出し信号
【図１Ａ】
0006695352.tif 000002
【図１Ｂ】
0006695352.tif 000003
【図１Ｃ】
0006695352.tif 000004
【図１Ｄ】
0006695352.tif 000005
【図２Ａ】
0006695352.tif 000006
【図２Ｂ】
0006695352.tif 000007
【図２Ｃ】
0006695352.tif 000008
【図２Ｄ】
0006695352.tif 000009
【図２Ｅ】
0006695352.tif 000010
【図３Ａ】
0006695352.tif 000011
【図３Ｂ】
0006695352.tif 000012
【図３Ｃ】
0006695352.tif 000013